(57)【要約】【課題】掛かり受け部に掛かり付け部を位置決めすることが容易な面状発光型照明器具を提供する。【解決手段】面状発光型照明器具１０は、面状発光モジュール１４と、面状発光モジュール１４の上部２１に設けられた掛かり付け部２４と、を有する。この掛かり付け部２４は、面状発光型照明器具１０が取り付けられる天井３６に設けられた掛かり受け部３５５を収容する凹部３２からなるガイド部３１を有する。【選択図】図２
2009129753.tif 000002
【特許請求の範囲】
【請求項１】
面状発光モジュールと、面状発光モジュールの片面に設けられた掛かり付け部と、を有する面状発光型照明器具であって、
前記掛かり付け部は、面状発光型照明器具が取り付けられる取付面に設けられた掛かり受け部を収容する凹部からなるガイド部を有することを特徴とする面状発光型照明器具。
【請求項２】
前記面状発光モジュールのうち、前記掛かり付け部の近傍が透明であることを特徴とする請求項１記載の面状発光型照明器具。
【請求項３】
前記ガイド部が透明であることを特徴とする請求項２記載の面状発光型照明器具。
【発明の詳細な説明】
【技術分野】
【０００１】
本発明は、面状発光モジュールの片面に掛かり付け部を備え、この掛かり付け部を天井などの取付面に取り付ける面状発光型照明器具に関する。
【背景技術】
【０００２】
面状発光型照明器具のなかには、面状発光モジュールと、面状発光モジュールの裏面に設けられた掛かり付け部とを備えたものがある。
この面状発光型照明器具は、通常、反射面を有するために面状発光モジュールが不透明であるため、面状発光モジュールの表面側から掛かり受け部を直接視認することができない。
このため、面状発光型照明器具の掛かり受け部を掛かり付け部に取り付ける際に、取り付け作業に手間がかかる。
【０００３】
この不具合を解消するものとして、面状発光モジュールの裏面側に掛かり付け部を備え、面状発光モジュールのうち、掛かり付け部に対向する部位を透明とし、面状発光モジュールの表面側から掛かり付け部を視認可能な面状発光型照明器具が提案されている（例えば、特許文献１参照）。
【特許文献１】特開２００７−１７３０５３号公報
【０００４】
特許文献１の面状発光型照明器具によれば、面状発光モジュールの表面側から掛かり付け部を視認しながら、天井に備えた掛かり受け部に掛かり付け部を係止させることで、掛かり受け部に面状発光型照明器具を比較的容易に取り付けることが可能である。
【発明の開示】
【発明が解決しようとする課題】
【０００５】
しかし、特許文献１の面状発光型照明器具は、掛かり付け部は突状に形成され、掛かり受け部も突状に形成されている。
このため、掛かり受け部に掛かり付け部を位置決めすることが難しく、この観点から改良の余地が残されていた。
【０００６】
本発明は、前述した要望を満たすためになされたもので、その目的は、掛かり受け部に掛かり付け部を位置決めすることが容易な面状発光型照明器具を提供することにある。
【課題を解決するための手段】
【０００７】
本発明の面状発光型照明器具は、面状発光モジュールと、面状発光モジュールの片面に設けられた掛かり付け部と、を有する面状発光型照明器具であって、前記掛かり付け部は、面状発光型照明器具が取り付けられる取付面に設けられた掛かり受け部を収容する凹部からなるガイド部を有することを特徴とする。
【０００８】
掛かり受け部を収容する凹部からなるガイド部を備えることで、凹部で掛かり付け部を掛かり受け部に位置決めできる。
これにより、掛かり付け部を掛かり受け部に容易に掛かり合わせることができ、取付性が向上する。
【０００９】
また、本発明は、前記面状発光モジュールのうち、前記掛かり付け部の近傍が透明であることを特徴とする。
【００１０】
掛かり付け部の近傍を透明に形成することで、面状発光モジュールの表面側からガイド部を直接視認することができる。
これにより、ガイド部を直接視認しながら、掛かり付け部を掛かり受け部に掛かり合わせることが一層容易になり、取付性が一層向上する。
【００１１】
ここで、ガイド部は、掛かり受け部を収容するものである。一方、一対のせん刃は掛かり受け部に係止する部位である。よって、ガイド部は、一対のせん刃と比較して形状が大きい。このため、形状の大きなガイド部は一対のせん刃と比較して視認し易い。
したがって、掛かり受け部近傍の透明部分を小さく抑えることが可能になり、照明器具の照明効率が低下することを抑えることができる。
【００１２】
さらに、本発明は、前記ガイド部が透明であることを特徴とする。
【００１３】
ガイド部を透明にすることで、掛かり付け部自体を直接視認することができ、さらに取付性が向上する。
【発明の効果】
【００１４】
本発明の面状発光型照明器具によれば、掛かり受け部を収容する凹部からなるガイド部を有することで、掛かり付け部を掛かり受け部に容易に掛かり合わせることができ、取付性の向上を図ることができるという効果を有する。
【発明を実施するための最良の形態】
【００１５】
以下、本発明の実施形態に係る面状発光型照明器具について、図面を参照して説明する。
（第１実施形態）
図１〜図２に示すように、第１実施形態に係る面状発光型照明器具１０は、下部１１Ａに開口部１２が形成された筐体１１と、筐体１１の開口部１２に設けられた面状発光モジュール１４と、面状発光モジュール１４および筐体１１との間に配置された一対の発光モジュール給電部材１６と、一対の発光モジュール給電部材１６に接続されるとともに筐体１１内に設けられた一対の点灯回路１８と、筐体１１の上部（面状発光モジュール１４の片面）２１に設けられた掛かり付け部２４とを備える。
【００１６】
筐体１１は、矩形状に形成された透明な上部２１と、上部２１の４辺に設けられた側壁２６〜２９とで下部１１Ａに開口部１２が形成された箱状に形成されている。
【００１７】
面状発光モジュール１４は、ＥＬ（Electro Luminescence）素子などの面状発光体を光源とするものである。
この面状発光モジュール１４は、略矩形状に形成され、発光面１４Ａを下方に向けて筐体１１の開口部１２に設けられている。
詳しくは、面状発光モジュール１４は、一対の発光モジュール給電部材１６間に配置されるとともに、対向する一対の側壁２８，２９間に配置されている。
【００１８】
この面状発光モジュール１４は、掛かり付け部２４の近傍部位２２が透明に形成されている。よって、掛かり付け部２４の近傍部位２２において、発光面１４Ａ側から発光面１４Ａの反対側の裏面１４Ｂ側を視認可能である。
面状発光モジュール１４のうち、掛かり付け部２４の近傍部位２２を透明に形成した理由については後述する。
【００１９】
一対の発光モジュール給電部材１６は、対向する一対の側壁２６，２７に沿って配置され、底面１６Ａが筐体１１の開口部１２に臨んでいる。
【００２０】
一対の点灯回路１８は、筐体１１の上部２１のうち、掛かり付け部２４を避けた部位２１Ａに設けられ、筐体１１内に配置されている。
【００２１】
掛かり付け部２４は、上部２１の中央部２１Ｂに環状の突起を設けることでガイド部３１が形成され、凹部３２内の中央部２１Ｂから一対のせん刃３４が突出されている。
【００２２】
上部２１の中央部２１Ｂにガイド部３１を形成することで、中央部２１Ｂおよびガイド部３１で掛かり受け部３５を収容する凹部３２が形成されている。
すなわち、ガイド部３１は、掛かり受け部３５を収容する凹部３２からなる。
【００２３】
掛かり受け部３５は、面状発光型照明器具１０が取り付けられる天井（取付面）３６に設けられている。
この掛かり受け部３５には、一対の係止溝３５Ａが形成されている。一対の係止溝３５Ａは一対のせん刃３４が係止可能な溝である。
一対のせん刃３４は、一対の点灯回路１８にそれぞれ接続されている。
【００２４】
図３に示すように、ガイド部３１は、高さ寸法Ｈ１が、一対のせん刃３４の高さ寸法Ｈ２と比較して大きく、掛かり受け部３５の高さ寸法Ｈ３と比較して同じか、小さく形成されている。
すなわち、Ｈ２＜Ｈ１≦Ｈ３の関係が成立している。
これにより、ガイド部３１を掛かり受け部３５に確実に嵌め込むとともに、一対のせん刃３４を一対の係止溝３５Ａに確実に係止させることができる。
【００２５】
さらに、ガイド部３１の高さ寸法Ｈ１が、一対のせん刃３４の高さ寸法Ｈ２と比較して大きいので、掛かり付け部２４を掛かり受け部３５に掛かり合わせる際に、一対のせん刃３４をガイド部３１で保護することができる。
【００２６】
以上説明したように、筐体１１の上部２１に掛かり付け部２４を収容する凹部３２を有することで、図４に示すように、作業者３８は、面状発光型照明器具１０を取り付ける際に、凹部３２を利用して掛かり付け部２４を掛かり受け部３５に簡単に位置決めできる。
よって、掛かり付け部２４を掛かり受け部３５に容易に掛かり合わせることができ、取付性の向上が図れる。
【００２７】
また、前述したように、面状発光モジュール１４のうち、掛かり受け部３５の近傍部位２２（図１参照）を透明部位とすることで、面状発光モジュール１４の表面（発光面）１４Ａ側からガイド部３１を直接視認することができる。
よって、図４に示すように、作業者３８はガイド部３１を直接視認しながら、掛かり付け部２４を掛かり受け部３５に掛かり合わせることができるので、取付性の一層の向上が図れる。
【００２８】
ここで、ガイド部３１（凹部３２）は、掛かり受け部３５を収容するものである。一方、一対のせん刃３４は掛かり受け部３５に係止する部位である。
よって、ガイド部３１は、一対のせん刃３４と比較して形状が大きい。このため、形状の大きなガイド部３１は一対のせん刃３４と比較して視認し易い。
【００２９】
したがって、面状発光モジュール１４のうち、掛かり受け部３５の近傍部位２２の透明部分を小さく抑えることが可能になり、面状発光型照明器具１０の照明効率が低下することを抑えることができる。
【００３０】
さらに、ガイド部３１は透明に形成されている。ガイド部３１を透明にすることで、掛かり付け部２４自体を直接視認することができ、取付性がさらに向上する。
【００３１】
つぎに、面状発光型照明器具４０の第２実施形態を図５に基づいて説明する。なお、図２実施形態の面状発光型照明器具４０において、第１実施形態の面状発光型照明器具１０と同一・類似構成部材については同じ符号を付して説明を省略する。
【００３２】
図５に示す第２実施形態に係る面状発光型照明器具４０は、面状発光モジュール１４の裏面１４Ｂのうち、掛かり付け部２４の近傍部位２２を回避した部位２３に不透明部４１を設けたもので、その他の構成は第１実施形態の面状発光型照明器具１０と同じである。
【００３３】
面状発光モジュール１４の裏面１４Ｂのうち、掛かり付け部２４の近傍部位２２を回避した部位２３に不透明部４１を設けることで、不透明部４１を一対の点灯回路１８に対向する部位に設けることができる。
【００３４】
よって、一対の点灯回路１８を不透明部４１で隠すことができるので、面状発光モジュール１４の表面１４Ａ側から一対の点灯回路１８を目視できないようにして、外観性を高めることができる。
【００３５】
なお、前記第１実施形態では、取付面として天井３６を例示したが、これに限らないで、壁部などの他の取付面に面状発光型照明器具１０，４０を取り付けることも可能である。
【００３６】
また、前記第１実施形態で示した筐体１１、面状発光モジュール１４、掛かり付け部２４、ガイド部３１、凹部３２、掛かり受け部３５などの形状や材質は例示したものに限定するものではなく適宜変更が可能である。
【産業上の利用可能性】
【００３７】
本発明は、面状発光モジュールの片面に掛かり付け部を備え、この掛かり付け部を天井などの取付面に取り付ける面状発光型照明器具への適用に好適である。
【図面の簡単な説明】
【００３８】
【図１】本発明に係る第１実施形態の面状発光型照明器具を示す断面図である。
【図２】本発明に係る第１実施形態の面状発光型照明器具を示す斜視図である。
【図３】本発明に係る第１実施形態の掛かり付け部および掛かり受け部の関係を説明する断面図である。
【図４】本発明に係る第１実施形態の面状発光型照明器具を取付面に取り付ける例を説明する側面図である。
【図５】本発明に係る第２実施形態の面状発光型照明器具を示す断面図である。
【符号の説明】
【００３９】
１０，４０  面状発光型照明器具
１４  面状発光モジュール
２１  面状発光モジュールの上部（面状発光モジュールの片面）
２２  掛かり付け部の近傍部位（掛かり付け部の近傍）
２４  掛かり付け部
３１  ガイド部
３２  凹部
３５  掛かり受け部
３６  天井（取付面）
【図１】
2009129753.tif 000003
【図２】
2009129753.tif 000004
【図３】
2009129753.tif 000005
【図４】
2009129753.tif 000006
【図５】
2009129753.tif 000007